(57)【要約】【課題】モニタに表示される画像の色合いを装置に関わらず等しくできる、画像表示装置を提供する。【解決手段】画像表示装置１０は、パーソナルコンピュータ本体１２にビデオボード１４を介してモニタ１８を接続し、モニタ１８に画像を表示する装置であり、ビデオボード１４からの出力電圧を補正するための補正回路１６をビデオボード１４とモニタ１８との間に介挿する。【選択図】        図１
2004177458.tif 000002
【特許請求の範囲】
【請求項１】
コンピュータ本体にビデオボードを介してモニタを接続し、前記モニタに画像を表示する画像表示装置において、
前記ビデオボードからの出力電圧を補正するための補正回路を前記ビデオボードと前記モニタとの間に介挿することを特徴とする、画像表示装置。
【発明の詳細な説明】
【０００１】
【発明の属する技術分野】
この発明は画像表示装置に関し、より特定的には、写真処理装置に用いられる画像表示装置に関する。
【０００２】
【従来の技術】
写真処理装置では、プリントすべき画像を確認し必要に応じて補正するために当該画像をモニタに表示させており、そのための手段として、パーソナルコンピュータとそれに内蔵されるビデオボードとが用いられている。
【０００３】
【発明が解決しようとする課題】
しかし、通常のビデオボードは出力電圧を補正する機能を有さずかつ出力電圧の範囲が規定されていないため、ビデオボードからの出力電圧はビデオボード毎に異なり、その結果、モニタに表示される画像の色合いが装置毎に異なることがあった。これは、色を合わせる要求が厳しい写真処理装置において特に問題であり、装置によって画像の色合いが異なると、ユーザの注文に応じて焼き増しされたプリント画像の色合いがユーザが期待していたものとは異なってしまい、ユーザからクレームがつくという問題が生じてしまう。
それゆえに、この発明の主たる目的は、モニタに表示される画像の色合いを装置に関わらず等しくできる、画像表示装置を提供することである。
【０００４】
【課題を解決するための手段】
上述の目的を達成するために、請求項１に記載の画像表示装置は、コンピュータ本体にビデオボードを介してモニタを接続し、モニタに画像を表示する画像表示装置において、ビデオボードからの出力電圧を補正するための補正回路をビデオボードとモニタとの間に介挿することを特徴とする。
【０００５】
請求項１に記載の画像表示装置では、ビデオボードからの出力電圧を補正回路によって補正してモニタに所定の出力電圧を与えることができるので、モニタに表示される画像の色合いを装置に関わらず等しくできる。
【０００６】
【発明の実施の形態】
以下、図面を参照して、この発明の実施の形態について説明する。
図１を参照して、この発明の一実施形態の画像表示装置１０は、写真処理装置に好適に用いられる。画像表示装置１０は、パーソナルコンピュータを用いて構成され、パーソナルコンピュータ本体１２を含む。パーソナルコンピュータ本体１２にはビデオボード１４が内蔵される。ビデオボード１４としては市販されているものを用いることができる。ビデオボード１４には、補正回路１６を介してモニタ１８が接続される。
【０００７】
図２を参照して、補正回路１６について説明する。
補正回路１６は、３つのオペアンプ２０ａ，２０ｂおよび２０ｃを含む。オペアンプ２０ａ，２０ｂおよび２０ｃの−端子にはそれぞれビデオボード１４のＲ，Ｇ，Ｂ端子が接続され、＋端子にはオフセットコントロールＤ／Ａ変換器２２が接続される。オフセットコントロールＤ／Ａ変換器２２にはＣＰＵ２４が接続され、ＣＰＵ２４に接続されるメモリ２６には基準となるＲ，Ｇ，Ｂ信号それぞれの白レベル，灰色レベル，黒色レベル時の値が格納される。
【０００８】
オペアンプ２０ａ，２０ｂおよび２０ｃの出力端にはそれぞれアナログスイッチ２８ａ，２８ｂおよび２８ｃが接続される。アナログスイッチ２８ａ，２８ｂおよび２８ｃの一方出力端には出力補正Ａ／Ｄ変換器３０が接続され、他方出力端にはモニタ１８が接続される。アナログスイッチ２８ａ，２８ｂおよび２８ｃは、それぞれＣＰＵ２４の端子ＳＥＬ１，２および３からのスイッチング信号によって切り替えられる。出力補正Ａ／Ｄ変換器３０の出力側はＣＰＵ２４に接続される。
【０００９】
このような画像表示装置１０における補正処理動作を説明する。
まず、「モニタ電圧調整モード」において、ＣＰＵ２４の端子ＳＥＬ１，２および３からのスイッチング信号によって、アナログスイッチ２８ａ，２８ｂおよび２８ｃが、それぞれ出力補正Ａ／Ｄ変換器３０側に接続される。そして、ビデオボード１４のＲ，Ｇ，Ｂ端子からそれぞれ白レベル時のＲ，Ｇ，Ｂ信号が出力され、オペアンプ２０ａ，２０ｂおよび２０ｃに与えられる。
【００１０】
このようなビデオボード１４からの出力電圧は、オペアンプ２０ａ，２０ｂ，２０ｃおよびアナログスイッチ２８ａ，２８ｂ，２８ｃを通って出力補正Ａ／Ｄ変換器３０に入力され８ビットのデジタルデータに変換される。出力補正Ａ／Ｄ変換器３０からの当該デジタルデータを受け取ったＣＰＵ２４は、当該デジタルデータをメモリ２６に保存されている白レベル時の所定のＲ，Ｇ，Ｂ信号の値と比較し、比較結果に基づく補正データをオフセットコントロールＤ／Ａ変換器２２に出力する。
【００１１】
オフセットコントロールＤ／Ａ変換器２２に入力された補正データは、デジタルデータからアナログデータに変換され、オペアンプ２０ａ，２０ｂおよび２０ｃの＋端子に入力され、オペアンプ２０ａ，２０ｂおよび２０ｃのオフセット電圧をコントロールする。
【００１２】
同様の処理が、灰色レベル、黒色レベルで行われ、Ｒ，Ｇ，Ｂ信号が調整される。
このようにして、Ｒ，Ｇ，Ｂ信号の補正が終了すれば、ＣＰＵ２４からのスイッチング信号に基づいて、アナログスイッチ２８ａ，２８ｂおよび２８ｃがビデオ出力側すなわちモニタ１８側に切り替えられる。
【００１３】
その後の「通常モード」では、ビデオボード１４からのＲ，Ｇ，Ｂ信号は補正回路１６によって補正されてモニタ１８に与えられる。
【００１４】
このような画像表示装置１０によれば、ビデオボード１４とモニタ１８との間に補正回路１６を介挿するだけで、モニタ１８に与えられるＲ，Ｇ，Ｂ信号を安定させることができ、モニタ１８に表示される画像の色合いを装置に関わらず等しくすることができる。
【００１５】
また、補正回路１６は、市販されているすべてのビデオボードに用いることができるので、メーカーや形式が異なるビデオボードを使用した場合でも安定した出力電圧が得られる。
【００１６】
一例として、モニタ１８へ与えられるＲ，Ｇ，Ｂ信号は、補正回路１６を用いない場合には図３（ａ）に示すような特性を有していたが、補正回路１６を用いることによって図３（ｂ）に示すようにＲ，Ｇ，Ｂ信号の特性を一致させることができた。
【００１７】
なお、この発明は写真処理装置だけではなく、画像表示が行われるその他の任意の装置にも適用されることはいうまでもない。
【００１８】
【発明の効果】
この発明によれば、モニタに表示される画像の色合いを装置に関わらず等しくできる。
【図面の簡単な説明】
【図１】この発明の一実施形態を示すブロック図である。
【図２】補正回路の一例を示す回路図である。
【図３】（ａ）は補正回路を用いない場合のＲ，Ｇ，Ｂ信号の特性を示し、（ｂ）は補正回路を用いた場合のＲ，Ｇ，Ｂ信号の特性を示す。
【符号の説明】
１０      画像表示装置
１２      パーソナルコンピュータ本体
１４      ビデオボード
１６      補正回路
１８      モニタ
【図１】
2004177458.tif 000003
【図２】
2004177458.tif 000004
【図３】
2004177458.tif 000005